(57)【特許請求の範囲】
【請求項１】
第１のデータの値と、第１コンスタレーション中の信号点の位置との対応関係である第１の対応関係、あるいは第１コンスタレーションの軸を、隣接した信号点間の角度の整数倍を除く所定の角度回転させた軸のコンスタレーションである第２コンスタレーションの軸に対して相対的に第１の対応関係と同一になるような第２の対応関係のいずれかにしたがって、マッピングされたシンボルを含む信号と、いずれかの対応関係が使用された既知パターンの信号とを時分割で外部から受信する受信部と、
第１の対応関係と第２の対応関係と１対１で対応づけられ、前記受信部において受信した信号をもとに、第１の対応関係と第２の対応関係のそれぞれに対するキャリア再生を実行する複数のキャリア再生部と、
第１の対応関係と第２の対応関係と１対１で対応づけられ、前記複数のキャリア再生部のうち、同一の対応関係に対応したキャリア再生部において再生されたキャリアによって、前記受信部において受信した信号をそれぞれ検波する複数の検波部と、
第１の対応関係と第２の対応関係と１対１で対応づけられ、前記複数の検波部のうち、同一の対応関係に対応した検波部において検波した信号に対してデマッピングを実行することによって、それぞれの対応関係の第１のデータを生成する複数のデマッピング部と、
前記受信部において受信した信号がマッピングされたコンスタレーションの軸の回転角度に基づいて、第２のデータを決定する決定部と、
前記受信部において受信した信号がマッピングされたコンスタレーションの軸の回転角度をもとに、前記複数のデマッピング部が並列してデマッピングした第１のデータのうち、いずれかを選択する選択部とを備え、
前記決定部は、前記受信部が既知パターンの信号を受信した場合に、既知パターンの信号に対する誤差量を監視し、誤差量がしきい値よりも大きければ、その後決定すべき第２のデータを修正し、
前記選択部は、前記決定部において誤差量がしきい値よりも大きくなった場合に、その後選択すべき第１のデータを修正することを特徴とする受信装置。
【請求項２】
前記決定部は、推定した回転角度とは異なった回転角度に対する第２のデータの値になるように、修正を実行し、
前記選択部は、前記決定部において推定した回転角度とは異なった回転角度での信号点に対する第１のデータの値になるように、修正を実行することを特徴とする請求項１に記載の受信装置。
【請求項３】
前記複数のキャリア再生部のうち、前記決定部において推定した回転角度に対応したキャリア再生部は、再生したキャリアを他のキャリア再生部に引き継がせることを特徴とする請求項１または２に記載の受信装置。
【請求項４】
前記複数のデマッピング部のそれぞれは、シンボル単位にデマッピングを実行し、
前記決定部は、第１のデータの間隔に対する第２のデータの間隔に応じた複数のシンボル単位に回転角度を推定することを特徴とする請求項１から３のいずれかに記載の受信装置。
【請求項５】
前記決定部は、回転角度ごとに、検波部において検波した信号でのシンボルにおける信号点の位置と、コンスタレーションに含まれた信号点の位置との誤差に対して、第１のデータの間隔に対する第２のデータの間隔に応じた複数のシンボルの期間以下の期間にわたった統計処理を実行し、回転角度ごとの統計処理結果を比較することによって、回転角度を推定することを特徴とする請求項４に記載の受信装置。
【請求項６】
第１のデータの値と、第１コンスタレーション中の信号点の位置との対応関係である第１の対応関係、あるいは第１コンスタレーションの軸を、隣接した信号点間の角度の整数倍を除く所定の角度回転させた軸のコンスタレーションである第２コンスタレーションの軸に対して相対的に第１の対応関係と同一になるような第２の対応関係のいずれかにしたがって、マッピングされたシンボルを含む信号と、いずれかの対応関係が使用された既知パターンの信号とを時分割で外部から受信するステップと、
受信した信号をもとに、第１の対応関係と第２の対応関係のそれぞれに対するキャリア再生を実行するステップと、
第１の対応関係と第２の対応関係のそれぞれに対応して再生されたキャリアによって、受信した信号をそれぞれ検波するステップと、
第１の対応関係と第２の対応関係のそれぞれに対応して検波した信号に対してデマッピングを実行することによって、それぞれの対応関係の第１のデータを生成するステップと、
受信した信号がマッピングされたコンスタレーションの軸の回転角度に基づいて、第２のデータを決定するステップと、
受信した信号がマッピングされたコンスタレーションの軸の回転角度をもとに、並列してデマッピングした複数の第１のデータのうち、いずれかを選択するステップとを備え、
前記決定するステップは、既知パターンの信号を受信した場合に、既知パターンの信号に対する誤差量を監視し、誤差量がしきい値よりも大きければ、その後決定すべき第２のデータを修正し、
前記選択するステップは、前記決定するステップにおいて誤差量がしきい値よりも大きくなった場合に、その後選択すべき第１のデータを修正することを特徴とする受信方法。
【発明の詳細な説明】
【技術分野】
【０００１】
本発明は、通信技術に関し、特にデジタル変調した信号によって通信を実行する受信装置および受信方法に関する。
【背景技術】
【０００２】
無線通信におけるデジタル変調は、デジタル信号でキャリアを変調する変調方式である。デジタル変調のうちのひとつが、位相変調（ＰＳＫ：Ｐｈａｓｅ  Ｓｈｉｆｔ  Ｋｅｙｉｎｇ）であり、位相変調では、一定周波数のキャリアの位相を変化させることで変調がなされる。また、位相変調のひとつが、π／４シフトＱＰＳＫ（Ｑｕａｄｒａｔｕｒｅ  Ｐｈａｓｅ  Ｓｈｉｆｔ  Ｋｅｙｉｎｇ）である。π／４シフトＱＰＳＫは、ＱＰＳＫのＩ軸とＱ軸を１シンボル周期ごとにπ／４ずつシフトさせる方式である。この方式では信号点がゼロ点を通過しないため、受信にリミッタを使うことができる。その結果、π／４シフトＱＰＳＫでは、増幅器の線形条件が緩和される。π／４シフトＱＰＳＫは、デジタル移動体通信などに使用されている（例えば、特許文献１参照）。
【先行技術文献】
【特許文献】
【０００３】
【特許文献１】特開平６−１３２９９６号公報
【発明の概要】
【発明が解決しようとする課題】
【０００４】
デジタル変調がなされる無線通信において、多重伝送を実行すべき場合がある。多重伝送とは、ひとつの伝送路で複数の情報を送ることであり、多重化とも呼ばれる。多重伝送として、例えば、ＦＤＭ（Ｆｒｅｑｕｅｎｃｙ−ｄｉｖｉｓｉｏｎ  ｍｕｌｔｉｐｌｅｘｉｎｇ）やＴＤＭ（Ｔｉｍｅ−ｄｉｖｉｓｉｏｎ  ｍｕｌｔｉｐｌｅｘｉｎｇ）が使用されている。ＦＤＭ伝送では、周波数帯域を分割することによって、主データ（データ１）と副データ(データ２)とが多重化される。ＴＤＭ伝送では、時間をスロット等によって分割することによって、主データ(データ１)と副データ(データ２)とが多重化される。また、デジタル放送に導入されている階層伝送などは、これらの技術の応用である。このような多重伝送技術は、周波数帯域幅や変調方式を固定した場合に、周波数帯域や時間を分割している。そのため、多重伝送における主データや副データは、固定された周波数帯域幅や変調方式によって実現される最大伝送速度を分割して使用する。多重伝送における主データや副データの伝送速度を増加させるためには、効率的な多重化が望まれる。
【０００５】
本発明はこうした状況に鑑みてなされたものであり、その目的は、データを効率的に多重化する技術を提供することである。
【課題を解決するための手段】
【０００６】
上記課題を解決するために、本発明のある態様の受信装置は、第１のデータの値と、第１コンスタレーション中の信号点の位置との対応関係である第１の対応関係、あるいは第１コンスタレーションの軸を、隣接した信号点間の角度の整数倍を除く所定の角度回転させた軸のコンスタレーションである第２コンスタレーションの軸に対して相対的に第１の対応関係と同一になるような第２の対応関係のいずれかにしたがって、マッピングされたシンボルを含む信号と、いずれかの対応関係が使用された既知パターンの信号とを時分割で外部から受信する受信部と、第１の対応関係と第２の対応関係と１対１で対応づけられ、受信部において受信した信号をもとに、第１の対応関係と第２の対応関係のそれぞれに対するキャリア再生を実行する複数のキャリア再生部と、第１の対応関係と第２の対応関係と１対１で対応づけられ、複数のキャリア再生部のうち、同一の対応関係に対応したキャリア再生部において再生されたキャリアによって、受信部において受信した信号をそれぞれ検波する複数の検波部と、第１の対応関係と第２の対応関係と１対１で対応づけられ、複数の検波部のうち、同一の対応関係に対応した検波部において検波した信号に対してデマッピングを実行することによって、それぞれの対応関係の第１のデータを生成する複数のデマッピング部と、受信部において受信した信号がマッピングされたコンスタレーションの軸の回転角度に基づいて、第２のデータを決定する決定部と、受信部において受信した信号がマッピングされたコンスタレーションの軸の回転角度をもとに、複数のデマッピング部が並列してデマッピングした第１のデータのうち、いずれかを選択する選択部とを備える。決定部は、受信部が既知パターンの信号を受信した場合に、既知パターンの信号に対する誤差量を監視し、誤差量がしきい値よりも大きければ、その後決定すべき第２のデータを修正し、選択部は、決定部において誤差量がしきい値よりも大きくなった場合に、その後選択すべき第１のデータを修正する。
この態様によると、コンスタレーションの回転角度を推定することによって第２のデータを取得するとともに、コンスタレーション上の信号点の位置を特定することによって第１のデータを取得するので、効率的に多重化された２種類のデータを受信できる。
決定部は、推定した回転角度とは異なった回転角度に対する第２のデータの値になるように、修正を実行し、選択部は、決定部において推定した回転角度とは異なった回転角度での信号点に対する第１のデータの値になるように、修正を実行してもよい。この場合、推定した回転角度とは異なった回転角度に対応するように、第１のデータの値と第２のデータの値とを修正するので、擬似ロックの影響を修正できる。
複数のキャリア再生部のうち、決定部において推定した回転角度に対応したキャリア再生部は、再生したキャリアを他のキャリア再生部に引き継がせる。この場合、再生したキャリアの引継がなされるので、推定した回転角度に対応していないキャリア再生部であっても、将来的に正確なキャリアを出力できる。
複数のデマッピング部のそれぞれは、シンボル単位にデマッピングを実行し、決定部は、第１のデータの間隔に対する第２のデータの間隔に応じた複数のシンボル単位に回転角度を推定してもよい。この場合、複数のシンボル単位に回転角度を推定するので、回転角度の推定精度を向上できる。
決定部は、回転角度ごとに、検波部において検波した信号でのシンボルにおける信号点の位置と、コンスタレーションに含まれた信号点の位置との誤差に対して、第１のデータの間隔に対する第２のデータの間隔に応じた複数のシンボルの期間以下の期間にわたった統計処理を実行し、回転角度ごとの統計処理結果を比較することによって、回転角度を推定してもよい。この場合、複数のシンボルの期間以下の期間にわたって統計処理を実行するので、回転角度の推定精度を向上できる。
本発明の別の態様は、受信方法である。この方法は、第１のデータの値と、第１コンスタレーション中の信号点の位置との対応関係である第１の対応関係、あるいは第１コンスタレーションの軸を、隣接した信号点間の角度の整数倍を除く所定の角度回転させた軸のコンスタレーションである第２コンスタレーションの軸に対して相対的に第１の対応関係と同一になるような第２の対応関係のいずれかにしたがって、マッピングされたシンボルを含む信号と、いずれかの対応関係が使用された既知パターンの信号とを時分割で外部から受信するステップと、受信した信号をもとに、第１の対応関係と第２の対応関係のそれぞれに対するキャリア再生を実行するステップと、第１の対応関係と第２の対応関係のそれぞれに対応して再生されたキャリアによって、受信した信号をそれぞれ検波するステップと、第１の対応関係と第２の対応関係のそれぞれに対応して検波した信号に対してデマッピングを実行することによって、それぞれの対応関係の第１のデータを生成するステップと、受信した信号がマッピングされたコンスタレーションの軸の回転角度に基づいて、第２のデータを決定するステップと、受信した信号がマッピングされたコンスタレーションの軸の回転角度をもとに、並列してデマッピングした複数の第１のデータのうち、いずれかを選択するステップとを備える。決定するステップは、既知パターンの信号を受信した場合に、既知パターンの信号に対する誤差量を監視し、誤差量がしきい値よりも大きければ、その後決定すべき第２のデータを修正し、選択するステップは、決定するステップにおいて誤差量がしきい値よりも大きくなった場合に、その後選択すべき第１のデータを修正する。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、データを効率的に多重化できる。
【図面の簡単な説明】
【０００９】
【図１】本発明の実施例１に係る通信システムの構成を示す図である。
【図２】図１の送信装置の構成を示す図である。
【図３】図３（ａ）−（ｂ）は、図２の送信装置において使用されるコンスタレーションを示す図である。
【図４】図２の特定部において記憶されたテーブルのデータ構造を示す図である。
【図５】図２の選択部から出力される信号の構成を示す図である。
【図６】図２の選択部から出力される信号の別の構成を示す図である。
【図７】図１の受信装置の構成を示す図である。
【図８】図８（ａ）−（ｂ）は、図７のキャリア再生部において記憶されたテーブルのデータ構造を示す図である。
【図９】図９（ａ）−（ｂ）は、図７の決定部における位相誤差値の時間変化を示す図である。
【図１０】本発明の実施例２に係る受信装置の構成を示す図である。
【図１１】図１１（ａ）−（ｃ）は、図１０の決定部における位相誤差値の時間変化を示す図である。
【発明を実施するための形態】
【００１０】
（実施例１）
本発明を具体的に説明する前に、まず概要を述べる。本発明の実施例１は、デジタル変調された信号（以下、「デジタル変調信号」という）を送信する送信装置と、デジタル変調信号を受信する受信装置とによって構成される通信システムに関する。このような通信システムによって、映像音声あるいはデータの伝送、撮像装置と中継装置間の伝送や衛星を用いた配信、家庭内の機器間におけるコンテンツデータ伝送、端末装置間の通信がなされる。ここで、送信装置は、複数種類のデータを送信対象として入力し、それらを多重化することによってデジタル変調信号を生成する。また、受信装置は、デジタル変調信号に多重化された複数種類のデータを分離する。多重化された各データの伝送速度の低下を抑制するために、データを効率的に多重化することが望まれる。これに対応するために、実施例１に係る通信システムは、次の処理を実行する。
【００１１】
送信装置は、例えば、第１データと第２データという２種類のデータを多重化する。送信装置は、第１データに対して位相変調、例えば、ＱＰＳＫ変調を実行する。つまり、送信装置は、シンボル単位に、ＱＰＳＫのコンスタレーションに含まれた４つの信号点のいずれかに第１データをマッピングする。また、送信装置は、当該コンスタレーションの軸を所定の回転角度だけ回転させたコンスタレーションに含まれた４つの信号点のいずれかにも第１データをマッピングする。ここで、送信装置は、ＱＰＳＫのコンスタレーションの軸の回転角度（以下、単に「回転角度」とも称する）と第２データの値との対応関係を予め規定する。例えば、第２データが「０」である場合、回転角度は「０」であり、第２データが「１」である場合、回転角度は「π／４」である。送信装置は、当該対応関係をもとに第２データから回転角度を特定し、特定した回転角度によっていずれかのコンスタレーションにおいて第１データがマッピングされた信号点を複数シンボルにわたって選択する。
【００１２】
一方、受信装置は、デジタル変調信号に対して、回転角度が「０」である場合のデマッピングをシンボル単位に実行するとともに、回転角度が「π／４」である場合のデマッピングをシンボル単位に実行する。これらのデマッピングは、並列に実行される。また、受信装置は、複数のデジタル変調信号をもとに、コンスタレーションの軸の回転角度を特定することによって、第２データを決定する。さらに、受信装置は、特定した回転角度をもとに、いずれかのデマッピング結果を選択することによって、第１データを決定する。このような処理の前段において、受信装置は直交検波を実行しており、さらに直交検波のためにキャリア再生が実行される。
【００１３】
キャリア再生は、一般的に位相誤差にもとづいてなされているが、位相誤差の検出には回転角度の特定が必要とされる。一方、回転角度が特定されるまでには数シンボル費やされる。そのため、受信装置は、数シンボルの期間において、キャリア再生を前値保持状態に保つ。その結果、キャリア再生は、連続してなされずに、バースト的になされる。ここで、移動受信や衛星受信システムのような位相雑音特性が悪化するような通信システムを想定する場合、キャリア再生の十分な追従性能が必要とされる。これに対応するためには、キャリア再生が連続してなされる方が望ましい。
【００１４】
受信装置は、規定された回転角度の数だけ、受信したデジタル変調信号を分岐させる。その際、各デジタル変調信号に対して、互いに異なった回転角度が対応づけられる。受信装置は、デジタル変調信号にして、対応した回転角度におけるキャリアによる直交検波を実行するとともに、対応した回転角度におけるデマッピングを実行する。つまり、回転角度ごとに、キャリア再生、直交検波、デマッピングを並列に実行することによって、受信装置は、回転角度ごとの第１データを生成し、そのうちのいずれかを選択する。選択された回転角度における再生キャリアは、他のキャリア再生に引き継がれる。
【００１５】
図１は、本発明の実施例１に係る通信システム１００の構成を示す。通信システム１００は、送信装置１０、受信装置１２を含む。送信装置１０は、２種類のコンスタレーションを予め規定する。ひとつは、通常のＱＰＳＫのコンスタレーションであり、以下では、このようなコンスタレーションに配置される信号点や、このようなコンスタレーションの軸の回転角度「０」を「基準位相」という。ここで、コンスタレーションの軸とは、同相軸と直交軸であり、それらはＩ軸とＱ軸とも呼ばれる。もうひとつは、通常のＱＰＳＫのコンスタレーションの軸を左回転にπ／４だけ回転させたコンスタレーションである。以下では、このようなコンスタレーションに配置される信号点や、このようなコンスタレーションの軸の回転角度「π／４」を「シフト位相」という。
【００１６】
送信装置１０は、第２データをもとに、基準位相のコンスタレーションあるいはシフト位相のコンスタレーションを選択し、選択結果を４シンボルにわたって維持する。つまり、第２データは、４シンボルの間隔において１ビットの情報量である。また、送信装置１０は、選択されたコンスタレーションの信号点に第１データをマッピングする。つまり、第１データは、１シンボルにおいて２ビットの情報量である。その結果、送信装置１０は、第１データの伝送に対して位相変調を使用し、第２データの伝送に対してコンスタレーションの位相シフトを使用することによって、第１データと第２データとを多重化させたデジタル変調信号を生成する。これは、第２データの値に応じて、第１データのマッピング規則を変更することに相当する。なお、送信装置１０は、受信装置１２にタイミングを確立させるために、周期的に同期コードを送信する。同期コードは、受信装置１２にとって既知のパターンの信号である。送信装置１０は、同期コードおよびデジタル変調信号を受信装置１２へ送信する。
【００１７】
受信装置１２は、送信装置１０から、同期コードおよびデジタル変調信号を受信する。受信装置１２は、受信した同期コードをもとに、送信装置１０とのタイミング同期を確立する。タイミング同期を確立することは、第１データがマッピングされたシンボルのタイミングを取得するとともに、第２データがマッピングされた４シンボルのタイミングを取得することに相当する。受信装置１２は、複数の回転角度のそれぞれに対応したキャリアを再生し、各キャリアによってデジタル変調信号を並列に直交検波するとともに、デマッピングをシンボル単位に実行することによって、回転角度ごとの第１データを生成する。また、受信装置１２は、４シンボルにわたって、コンスタレーション軸の回転角度を推定する。コンスタレーションの軸の回転角度を誤って推定した場合、信号点の配置位置からの復号は誤ってしまう。そのため、受信装置１２は、コンスタレーション軸の回転角度の推定精度を向上させるために、複数シンボルを推定に使用する。受信装置１２は、回転角度をもとに第２データを決定する。さらに、受信装置１２は、推定した回転角度に対応した第１データを選択する。
【００１８】
図２は、送信装置１０の構成を示す。送信装置１０は、入力部１８、基準位相マッピング部２０、シフト位相マッピング部２２、特定部２４、選択部２６、直交変調部２８、ＲＦ部３０、制御部３２を含む。入力部１８は、第１データと第２データとを外部から入力する。ここで、第１データの情報量と第２データの情報量とは異なっている。例えば、前者は後者の８倍に設定される。そのため、第１データが主データに相当し、第２データが副データに相当する。第２データの間隔（時間間隔）は、第１データの間隔（時間間隔）よりも長くなっている。第１データは、基準位相マッピング部２０およびシフト位相マッピング部２２に入力され、第２データは、特定部２４に入力される。
【００１９】
基準位相マッピング部２０は、第１データを入力する。基準位相マッピング部２０は、第１データをマッピングすべきコンスタレーションを予め規定する。図３（ａ）−（ｂ）は、送信装置１０において使用されるコンスタレーションを示す。図３（ａ）が基準位相マッピング部２０において規定されるコンスタレーションであり、前述の基準位相でのコンスタレーションに相当する。基準位相でのコンスタレーションは第１コンスタレーションと呼ばれてもよい。図示のごとく、ＱＰＳＫのコンスタレーションが規定されており、コンスタレーションの４つの信号点は、グレイコードにしたがって、（０，０）、（０，１）、（１，０）、（１，１）に対応している。
【００２０】
ここで、（０，０）等は、２ビット分の第１データに相当する。このように、基準位相マッピング部２０では、入力すべき第１データの値と、基準位相でのコンスタレーション中の信号点の位置との第１の対応関係が予め定められている。基準位相マッピング部２０は、第１の対応関係にしたがって、入力した第１データを信号点へシンボル単位にマッピングする。これは、４つの信号点のうちのいずれかをシンボル単位に選択することに相当する。図３（ｂ）については後述する。図２に戻る。
【００２１】
シフト位相マッピング部２２は、基準位相マッピング部２０と同様に、第１データを入力する。シフト位相マッピング部２２も、マッピングすべきコンスタレーションを予め規定する。図３（ｂ）がシフト位相マッピング部２２において規定されるコンスタレーションであり、前述のシフト位相でのコンスタレーションに相当する。シフト位相でのコンスタレーションは第２コンスタレーションと呼ばれてもよい。このコンスタレーションは、基準位相マッピング部２０において規定されたコンスタレーションをπ／４だけ左回転させたコンスタレーションである。回転角度は、基準位相でのコンスタレーションにおける複数の信号点のうち、隣接した信号点間の位相差の半分になるように設定される。
【００２２】
シフト位相マッピング部２２では、入力すべき第１データの値と、シフト位相でのコンスタレーション中の信号点の位置との第２の対応関係が予め定められている。第２の対応関係は、シフト位相のコンスタレーションの軸に対して相対的に第１の対応関係と同一になるような関係である。シフト位相マッピング部２２は、第２の対応関係にしたがって、入力した第１データを信号点へシンボル単位にマッピングする。なお、シフト位相マッピング部２２に入力される第１データは、基準位相マッピング部２０に入力される第２データと同一であるので、シフト位相マッピング部２２でのマッピングは、基準位相マッピング部２０においてマッピングした信号点をπ／４だけ左回転させることに相当する。図２に戻る。
【００２３】
特定部２４は、第２データを入力する。特定部２４は、入力すべき第２データの値と、マッピング部において使用されるコンスタレーションの軸の回転角度との対応関係を予め規定する。図４は、特定部２４において記憶されたテーブルのデータ構造を示す。図示のごとく、第２データ欄２００、コンスタレーション欄２０２が含まれる。第２データ欄２００には、第２データの値として、「０」、「１」が示されている。また、コンスタレーション欄２０２では、第２データの値「０」に対応づけられて「基準位相」が示されており、第２データの値「１」に対応づけられて「シフト位相」が示されている。前述のごとく、基準位相は、軸の回転角度「０」に対応し、シフト位相は、軸の回転角度「π／４」に対応する。図２に戻る。特定部２４は、図４のテーブルにて示された対応関係にしたがって、入力した第２データの値に応じた回転角度、例えば、「基準位相」か「シフト位相」を特定する。
【００２４】
選択部２６は、基準位相マッピング部２０から、マッピングがなされたシンボル（以下、「基準位相シンボル」という）を入力するとともに、シフト位相マッピング部２２からも、マッピングがなされたシンボル（以下、「シフト位相シンボル」という）を入力する。また、特定部２４からの特定結果も入力する。選択部２６は、特定部２４の特定結果、つまり回転角度によって、基準位相シンボルあるいはシフト位相シンボルを選択する。ここで、選択部２６は、複数シンボル、例えば、４シンボルにわたって、基準位相シンボルあるいはシフト位相シンボルを固定的に連続して選択する。なお、４シンボルのそれぞれの信号点の位置は、第１データに応じて変化している。また、基準位相シンボルあるいはシフト位相シンボルを固定的に連続して選択すべき複数のシンボルの数は、固定値であるとする。これは、第２のデータの間隔に対する第１のデータの間隔の比が固定値であるともいえる。
【００２５】
このような選択部２６の処理は、特定部２４における回転角度に応じて、基準位相によってマッピングがなされたシンボルを複数まとめて回転させることに相当する。このように２つのシンボルマッピングは、４シンボル周期（ｎ）ごとに変化させるので第２データの伝送速度はシンボル速度の１／ｎ程度になる。さらに、選択部２６は、復調時に必要となる絶対位相基準として、同期コードを周期的に出力する。同期コードは、連続した複数のシンボル、例えば、４シンボルに形成されており、基準位相を使用する。また、同期コードのパターンは、図示しない受信装置１２にとって既知である。選択部２６は、同期コードを出力しないタイミングにおいて、選択したシンボルを出力する。
【００２６】
図５は、選択部２６から出力される信号の構成を示す。横軸が時間に相当する。また、第１データは、「データ１」と示され、第２データは、「データ２」と示されている。さらに、ひとつの第２データによって固定的に選択される回転角度の期間は、「単位ブロック」と示されており、単位ブロックは、４シンボルに相当する。図５では、３つの連続した単位ブロックごとに、同期コードが挿入されている。単位ブロックでは、ひとつの第２データと４つの第１データとが多重化されている。以下では、説明を簡易にするために、図５のようにシンボルに配置させたフレームのフォーマットが固定であるとする。
【００２７】
図６は、選択部２６から出力される信号の別の構成を示す。図６では、３つの単位ブロックでのコンスタレーションが示されている。左側の単位ブロックにおける４つのシンボルは、基準位相を使用しており、中央の単位ブロックにおける４つのシンボルは、シフト位相を使用しており、右側の単位ブロックにおける４つのシンボルは、基準位相を使用している。図２に戻る。なお、以下では、同期コードもシンボルということがある。
【００２８】
直交変調部２８は、選択部２６からのシンボルを入力する。直交変調部２８は、シンボルに対して直交変調を実行することによって、ベースバンドのシンボルを中間周波数の信号に変換する。その際、直交変調部２８は、デジタル信号のシンボルをアナログ信号のシンボルに変換してもよい。直交変調部２８は、中間周波数の信号をＲＦ部３０へ出力する。ＲＦ部３０は、直交変調部２８からの中間周波数の信号を入力する。ＲＦ部３０は、中間周波数の信号を無線周波数の信号に周波数変換し、無線周波数の信号をアンテナから外部へ送信する。その際、ＲＦ部３０は、無線周波数の信号を増幅してもよい。このように、ＲＦ部３０は、まとめて回転させた複数のシンボルを出力する。制御部３２は、送信装置１０全体の動作タイミングを制御する。
【００２９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３０】
図７は、受信装置１２の構成を示す。受信装置１２は、ＲＦ部４０、直交検波部４２と総称される第１直交検波部４２ａ、第２直交検波部４２ｂ、帯域制限フィルタ部４４と総称される第１帯域制限フィルタ部４４ａ、第２帯域制限フィルタ部４４ｂ、タイミング生成部４６、決定部４８、キャリア再生部５０と総称される第１キャリア再生部５０ａ、第２キャリア再生部５０ｂ、デマッピング部５２、シンボル選択部５４、制御部５６を含む。また、第１キャリア再生部５０ａは、基準位相用位相誤差検出部６０、第１ループフィルタ部６６ａ、第１ＮＣＯ６８ａを含み、第２キャリア再生部５０ｂは、シフト位相用位相誤差検出部６２、第２ループフィルタ部６６ｂ、第２ＮＣＯ６８ｂを含む。ここで、第１ループフィルタ部６６ａ、第２ループフィルタ部６６ｂは、ループフィルタ部６６と総称され、第１ＮＣＯ６８ａ、第２ＮＣＯ６８ｂは、ＮＣＯ６８と総称される。デマッピング部５２は、基準位相デマッピング部７０、シフト位相デマッピング部７２を含む。
【００３１】
ＲＦ部４０は、アンテナを介して、図示しない送信装置１０からの無線周波数の信号を受信する。前述のごとく、無線周波数の信号では、第１データと第２データとが多重化されているとともに、同期コードが周期的に挿入されている。ＲＦ部４０は、無線周波数の信号を中間周波数の信号に周波数変換し、中間周波数の信号を第１直交検波部４２ａと第２直交検波部４２ｂへ出力する。
【００３２】
第１直交検波部４２ａは基準位相に対応づけられ、第２直交検波部４２ｂはシフト位相に対応づけられている。つまり、各直交検波部４２は、回転角度と１対１で対応づけられている。第１直交検波部４２ａは、ＲＦ部４０からの中間周波数の信号を入力するとともに、第１ＮＣＯ６８ａからの局部発振信号を入力する。局部発振信号は、第１キャリア再生部５０ａにおいて再生されたキャリアに相当し、これは基準位相に対応したキャリア（以下、「基準位相キャリア」という）である。第１直交検波部４２ａは、基準位相キャリアによって中間周波数の信号を直交検波する。直交検波した結果が、ベースバンドのシンボルに相当する。その際、第１直交検波部４２ａは、アナログ信号のシンボルをデジタル信号のシンボルに変換する。第１直交検波部４２ａは、生成したシンボル（以下、「基準位相シンボル」という）を第１帯域制限フィルタ部４４ａへ出力する。
【００３３】
第２直交検波部４２ｂは、ＲＦ部４０からの中間周波数の信号を入力するとともに、第２ＮＣＯ６８ｂからの局部発振信号を入力する。局部発振信号は、第２キャリア再生部５０ｂにおいて再生されたキャリアに相当し、これはシフト位相に対応したキャリア（以下、「シフト位相キャリア」という）である。第２直交検波部４２ｂは、第１直交検波部４２ａと同様に、シフト位相キャリアによって中間周波数の信号を直交検波することによって、シンボル（以下、「シフト位相シンボル」という）を生成する。第２直交検波部４２ｂは、シフト位相シンボルを第２帯域制限フィルタ部４４ｂへ出力する。
【００３４】
第１帯域制限フィルタ部４４ａは、第１直交検波部４２ａからの基準位相シンボルを入力する。第１帯域制限フィルタ部４４ａは、基準位相シンボルに含まれた雑音成分を低減し、雑音成分が低減された基準位相シンボル（以下、これも「基準位相シンボル」という）をタイミング生成部４６、基準位相用位相誤差検出部６０、基準位相デマッピング部７０へ出力する。第２帯域制限フィルタ部４４ｂは、第２直交検波部４２ｂからのシフト位相シンボルを入力する。第２帯域制限フィルタ部４４ｂは、シフト位相シンボルに含まれた雑音成分を低減し、雑音成分が低減されたシフト位相シンボル（以下、これも「シフト位相シンボル」という）をシフト位相用位相誤差検出部６２、シフト位相デマッピング部７２へ出力する。なお、基準位相シンボルおよびシフト位相シンボルは、シンボルと総称されることもある。
【００３５】
タイミング生成部４６は、第１帯域制限フィルタ部４４ａからの基準位相シンボルを入力する。タイミング生成部４６は、同期コードのパターンを予め記憶しており、同期コードと入力した基準位相シンボルとの相関処理を実行することによって、相関値を生成する。また、タイミング生成部４６は、順次生成した相関値を監視して、相関値のピークを検出する。相関値のピークの検出には、公知の技術が使用されればよいので、ここでは説明を省略する。フレーム周期毎の相関値のピークを検出したタイミングが、図５において同期コードが配置されたタイミングに相当し、周期性を確認したうえでフレーム同期を確立する。タイミング生成部４６は、同期コードが配置されたタイミングを特定することによって、各シンボルのタイミング、各単位ブロックのタイミングを生成する。各単位ブロックのタイミングとは、第２データに応じて、コンスタレーションの軸が回転しうるタイミングともいえる。タイミング生成部４６は、各単位ブロックのタイミングを決定部４８へ出力する。
【００３６】
第１キャリア再生部５０ａは基準位相に対応づけられ、第２キャリア再生部５０ｂはシフト位相に対応づけられている。つまり、各キャリア再生部５０は、回転角度と１対１で対応づけられている。基準位相用位相誤差検出部６０は、第１帯域制限フィルタ部４４ａからの基準位相シンボルを入力する。基準位相用位相誤差検出部６０は、入力した基準シンボルにおける信号点の位置と、基準位相でのコンスタレーションにおける信号点の位置との誤差量をシンボル単位に検出する。図８（ａ）−（ｂ）は、キャリア再生部５０において記憶されたテーブルのデータ構造を示す。図８（ａ）が、基準位相用位相誤差検出部６０に記憶されたテーブルに相当する。横軸が入力したシンボルにおける信号点の位置に対応し、縦軸が誤差量に相当する。図示のごとく、基準位相でのコンスタレーションに含まれた信号点の位置である「π／４」、「３π／４」、「５π／４」、「７π／４」では、誤差量が「０」になっている。図８（ｂ）については後述する。図７に戻る。基準位相用位相誤差検出部６０は、単位ブロックの期間において誤差量を算出する。基準位相用位相誤差検出部６０は、算出値を第１ループフィルタ部６６ａへ出力する。
【００３７】
シフト位相用位相誤差検出部６２は、第２帯域制限フィルタ部４４ｂからのシフト位相シンボルを入力する。シフト位相用位相誤差検出部６２は、入力したシフト位相シンボルにおける信号点の位置と、シフト位相でのコンスタレーションにおける信号点の位置との誤差量をシンボル単位に検出する。図８（ｂ）が、シフト位相用位相誤差検出部６２に記憶されたテーブルに相当する。横軸が入力したシンボルにおける信号点の位置に対応し、縦軸が誤差量に相当する。図示のごとく、シフト位相でのコンスタレーションに含まれた信号点の位置である「０」、「π／２」、「π」、「３π／２」では、誤差量が「０」になっている。図７に戻る。シフト位相用位相誤差検出部６２は、単位ブロックの期間において誤差量を算出する。シフト位相用位相誤差検出部６２は、算出値を第２ループフィルタ部６６ｂへ出力する。
【００３８】
第１ループフィルタ部６６ａは、基準位相用位相誤差検出部６０からの誤差値をもとに平均処理し、第１ＮＣＯ６８ａから出力される基準位相キャリアの周波数を制御する。第１ＮＣＯ６８ａは、第１ループフィルタ部６６ａからの指示に応じた周波数の基準位相キャリアを第１直交検波部４２ａへ出力する。第２ループフィルタ部６６ｂは、シフト位相用位相誤差検出部６２からの誤差値をもとに平均処理し、第２ＮＣＯ６８ｂから出力されるシフト位相キャリアの周波数を制御する。第２ＮＣＯ６８ｂは、第２ループフィルタ部６６ｂからの指示に応じた周波数のシフト位相キャリアを第２直交検波部４２ｂへ出力する。このように、複数のキャリア再生部５０は、入力したシンボルをもとに、互いに異なった回転角度に対するキャリア再生をそれぞれ実行する。ループフィルタ部６６とＮＣＯ６８には、公知の技術が使用されればよいので、ここでは説明を省略するが、後述の決定部４８において回転角度が推定された場合、推定した回転角度に対応したＮＣＯ６８は、再生したキャリアを他のＮＣＯ６８に引き継がせる。
【００３９】
基準位相デマッピング部７０は基準位相に対応づけられ、シフト位相デマッピング部７２はシフト位相に対応づけられている。基準位相デマッピング部７０は、第１帯域制限フィルタ部４４ａからの基準位相シンボルを入力する。基準位相デマッピング部７０は、基準位相のコンスタレーションをもとにしたデマッピングをシンボル単位に実行することによって、基準位相シンボルでの信号点に対応した第１データを生成する。基準位相デマッピング部７０は、第１データをシンボル選択部５４へ出力する。シフト位相デマッピング部７２は、第２帯域制限フィルタ部４４ｂからのシフト位相シンボルを入力する。シフト位相デマッピング部７２は、基準位相デマッピング部７０と並列に、シフト位相のコンスタレーションをもとにしたデマッピングをシンボル単位に実行することによって、シフト位相シンボルでの信号点に対応した第１データを生成する。シフト位相デマッピング部７２は、第１データをシンボル選択部５４へ出力する。
【００４０】
決定部４８は、基準位相用位相誤差検出部６０からの誤差量を入力するとともに、シフト位相用位相誤差検出部６２からの誤差量も入力する。また、決定部４８は、タイミング生成部４６から、各単位ブロックのタイミングを入力する。前者は、基準位相でのコンスタレーションに含まれた信号点の位置と、基準位相シンボルにおける信号点の位置との誤差量に相当し、後者は、シフト位相でのコンスタレーションに含まれた信号点の位置と、シフト位相シンボルにおける信号点の位置との誤差量に相当する。決定部４８は、単位ブロックごとに、シンボルに対する回転角度を推定する。これは、図示しない送信装置１０においてまとめて回転された複数のシンボル単位に回転角度を推定することに相当する。そのために、決定部４８は、各誤差量に対して、単位ブロックの期間よりも短い期間にわたって平均処理（以下、平均処理の結果の絶対値を「位相誤差値」という）を実行する。決定部４８は、基準位相に対する位相誤差値と、シフト位相に対する位相誤差値とを比較することによって、回転角度を推定する。
【００４１】
決定部４８での処理の詳細を図９（ａ）−（ｂ）によって説明する。図９（ａ）−（ｂ）は、決定部４８における位相誤差値の時間変化を示す。これらは、基準位相に対する位相誤差値であってもよいし、シフト位相に対する位相誤差値であってもよい。図９（ａ）は、図示しない送信装置１０での回転角度に合っている方の位相誤差値を示す。位相誤差値はある程度小さく、かつ時間が経過してもほぼ一定量を示す。一方、図９（ｂ）は、図示しない送信装置１０での回転角度に合っていない方の位相誤差値を示す。位相誤差値はある程度大きく、かつ時間の経過とともに減少（ブロックのシンボル数が多い場合）する。図７に戻る。
【００４２】
決定部４８は、基準位相に対する位相誤差値を単位ブロックにわたって平均するとともに、シフト位相に対する位相誤差値を単位ブロックにわたって平均し、両者を比較する。決定部４８は、位相誤差値がしきい値よりも小さい場合、それに対応した回転角度を選択する。決定部４８は、推定した回転角度をもとに第２データの値を決定する。そのため、決定部４８も、図４のようなテーブルを予め記憶し、回転角度が基準位相に相当する場合に第２データ「０」を決定し、回転角度がシフト位相に相当する場合に第２データ「１」を決定する。決定部４８は、推定した回転角度をキャリア再生部５０およびシンボル選択部５４へ出力し、決定した第２データの値を外部へ出力する。
【００４３】
シンボル選択部５４は、基準位相デマッピング部７０からの第１データを入力するとともに、シフト位相デマッピング部７２からの第１データも入力する。シンボル選択部５４は、決定部４８において推定した回転角度をもとに、いずれかの第１データを選択する。このような選択基準は、単位ブロックごとに切りかえられる。このように、シンボル選択部５４は、決定部４８において推定した回転角度をもとに、回転角度ごとの第１データのうち、いずれかを選択する。シンボル選択部５４は、第１データを外部へ出力する。制御部５６は、受信装置１２全体の動作タイミングを制御する。
【００４４】
本発明の実施例によれば、第２データの値に応じた対応関係にて第１データを信号点へシンボル単位にマッピングさせるので、第１データと第２データとを効率的に多重化できる。また、単位ブロックに含まれたシンボルの数を固定値にするので、処理を簡易化できる。また、コンスタレーションの回転角度を推定することによって第２データを取得するとともに、推定した回転角度でのコンスタレーション上の信号点の位置を特定することによって第１データを取得するので、効率的に多重化された２種類のデータを受信できる。
【００４５】
回転角度ごとに、キャリア再生、直交検波、デマッピングを並列に実行するので、キャリア再生を連続的に実行できる。また、キャリア再生が連続的に実行されるので、キャリア再生の追従性能を向上できる。また、キャリア再生の追従性能が向上されるので、位相雑音特性が悪化するような通信システムにも適用できる。また、再生したキャリアの引継がなされるので、推定した回転角度に対応していないキャリア再生部であっても、将来的に正確なキャリアを出力できる。また、単位ブロックに含まれた複数のシンボル単位に回転角度を推定するので、回転角度の推定精度を向上できる。また、単位ブロックに含まれた複数のシンボルの期間以下の期間にわたって統計処理を実行するので、回転角度の推定精度を向上できる。また、回転角度の推定精度が向上されるので、第２データの決定精度を向上できる。また、また、回転角度の推定精度が向上されるので、第１データの決定精度を向上できる。また、第１データの決定精度と第２データの決定精度とが向上されるので、受信品質を向上できる。
【００４６】
また、例えば、ＱＰＳＫ変調で１０Ｍｓｐｓの無線伝送において、２０Ｍｂｐｓの映像伝送を行なう場合に、１０シンボルごとに軸を回転させることによって、約１Ｍｂｐｓの音声伝送を映像信号の伝送速度を減らすことなく追加できる。また、受信側において、あるシンボルごとに軸が回転される変化点が予めわかっているので、変化を適切に捉えてＱＰＳＫに対するキャリア再生を実行することによって、ＱＰＳＫの受信性能からの低下を抑制できる。また、低ＣＮ比においても正しく伝送できるレベルまで多重効率を上げることができる。
【００４７】
（実施例２）
次に、本発明の実施例２を説明する。実施例２も、実施例１と同様に、第１データと第２データという２種類のデータを多重化する通信システムに関する。実施例２は、受信装置において、再生したキャリアの擬似ロックによる第２データの判定誤りを容易に修正することを目的とする。実施例１に係る受信装置において受信した無線周波数の信号の品質が悪化している場合、例えば、受信電力が低い場合、回転角度を推定するタイミングにおいて、基準位相に対する位相誤差値と位相シフトに対する位相誤差値とが同等の大きさになるケースや、送信装置での回転角度に合った方の位相誤差値の方が大きくなるケースがある。これによって、推定した回転角度が誤りやすくなる。回転角度の推定が誤ると、キャリア再生が誤ってロックされてしまうので、第２データに誤りが生じるだけではなく、第１データにも誤りが生じる。特に、フレーム長が長い場合、同期コード区間での位相誤差値によって、キャリア再生のフィードバックループ動作に与えられる影響が低くなるので、擬似ロックが生じやすくなる。
【００４８】
これに対応するために実施例２に係る受信装置は、実施例１と同様に、回転角度ごとに、キャリア再生、直交検波、デマッピングを並列に実行することによって、回転角度ごとの第１データを生成し、そのうちのいずれかを選択する。さらに、受信装置は、同期コードを受信した場合に、同期コードに対する誤差量を監視し、誤差量がしきい値よりも大きければ、その後決定すべき第１データおよび第２データを修正する。最終的なデータを修正するので、簡易な処理で実現される。実施例２に係る通信システム１００は、図１と同様のタイプであり、送信装置１０は、図２と同様のタイプである。ここでは、差異を中心に説明する。
【００４９】
図１０は、本発明の実施例２に係る受信装置１２の構成を示す。図１０に係る受信装置１２は、図７に対して補正部１１０が追加されている。決定部４８は、前出のごとく、基準位相シンボルやシフト位相シンボルに対する誤差量を監視する。ここでは、基準位相シンボルやシフト位相シンボルに対する誤差量を図１１（ａ）−（ｃ）をもとに説明する。図１１（ａ）−（ｂ）は、決定部４８における位相誤差値の時間変化を示す。図１１（ａ）は、受信したシンボルのコンスタレーションを示す。ここでは、コンスタレーションとして４つの信号点を示しているが、受信したひとつのシンボルでは、いずれかの信号点のみが含まれている。キャリア再生の初期動作時では、キャリア再生がロックしていないので、図１１（ａ）のごとく、コンスタレーションが基準位相とシフト位相の間に配置される場合がある。この場合、位相誤差値は、いずれの位相であっても、最大値の１／２となる同じ値が出力されている。
【００５０】
そのような過渡期の状況では、それぞれのキャリアによって検波したシンボルから、位相誤差値の絶対値が大きくなっていないかを監視し、単位ブロックごとに、どちらのキャリア再生が正しく受信しているかを判定することは困難である。ここで、位相誤差値の絶対値が大きくなっていないかの監視は、例えば、位相誤差値の絶対値の平均値が、しきい値を超えているかを監視することによってなされる。また、どちらのキャリア再生が正しく受信しているかを判定することは、図１１（ｂ）や（ｃ）のような位相誤差値の変化をもとになされるべきである。図１１（ｂ）は、回転角度が誤っている場合の位相誤差値の変化を示す。図示のごとく、時間の経過とともに、位相誤差値が大きくなっている。一方、図１１（ｃ）は、回転角度が正しい場合の位相誤差値の変化を示す。図示のごとく、時間の経過とともに、位相誤差値が小さくなっている。そのため、決定部４８は、図１１（ｃ）のように、位相誤差値の絶対値が小さくなっていく回転角度を選択すべきである。
【００５１】
回転角度を選択した後、実施例１と同様に、選択した回転角度に対応したＮＣＯ６８は、再生したキャリアを他のＮＣＯ６８に引き継がせる。このような工程を経てキャリア再生がロックすると、同期コード以外の区間において、送信装置１０における基準位相、シフト位相がどちらの組合せでも正しく受信しているような結果が現れる。基準位相が使用されている同期コード区間で不整合があっても、フレーム長が長ければ、フィードバックループに及ぼす影響が小さくなってしまう。その結果、擬似ロック現象の回避が困難になる。
【００５２】
これに対応するために、決定部４８は、同期コードを入力した場合にも、同期コードに対する誤差量を監視する。前述のごとく、送信装置１０において同期コードには基準位相が使用されているので、決定部４８は、同期コードの信号点の位置と、基準位相でのコンスタレーションに含まれた信号点の位置との間の誤差量を検出する。決定部４８は、誤差量がしきい値よりも大きい場合に、擬似ロックの発生を検出する。決定部４８は、擬似ロックの発生を検出すると、その後決定すべき第２のデータを修正する。つまり、決定部４８は、推定した回転角度とは異なった回転角度に対する第２のデータの値になるように、修正を実行する。例えば、決定部４８は、回転角度が基準位相に相当する場合に第２データを「１」に修正する。また、決定部４８は、擬似ロックの発生を補正部１１０に通知する。
【００５３】
補正部１１０は、決定部４８からの通知を受けつけると、シンボル選択部５４に対して、その後選択すべき第１データを修正させる。つまり、シンボル選択部５４は、シンボル選択部５４において推定した回転角度とは異なった回転角度での信号点に対する第１データの値になるように、修正を実行する。具体的に説明すると、シンボル選択部５４は、決定部４８において基準位相が推定された場合に、シフト位相デマッピング部７２からの第１データを選択する。このように、シンボル選択部５４の制御を反転することによって、擬似ロックのために反対の位相でデマッピングしている状況が正常化される。
【００５４】
本発明の実施例によれば、推定した回転角度とは異なった回転角度に対応するように、第１データの値と第２データの値とを修正するので、擬似ロックの影響を修正できる。また、周期的に送信される同期コードの期間において擬似ロックの発生を検出するので、周期的に擬似ロックを検出できる。また、周期的に擬似ロックが検出されるので、擬似ロックの影響を低減できる。また、第１データの値を修正するために、別のデマッピング結果を選択するので、処理量の増加を抑制できる。
【００５５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５６】
本発明の実施例において、基準位相マッピング部２０およびシフト位相マッピング部２２は、第１データをマッピングすべきコンスタレーションとしてＱＰＳＫを使用する。しかしながらこれに限らず例えば、基準位相マッピング部２０およびシフト位相マッピング部２２は、ＱＰＳＫ以外の変調方式を使用してもよい。例えば、８ＰＳＫや１６ＱＡＭが使用される。本変形例によれば、変調多値数を変更することによって、伝送速度を調節できる。
【００５７】
本発明の実施例において、特定部２４は、２種類の回転角度を特定する。しかしながらこれに限らず例えば、特定部２４は、さらに多くの種類、例えば、４種類の回転角度を特定してもよい。その際、第２データは、２ビットのデータとして規定される。４種類の回転角度は、隣接した信号点間の角度を４等分するように規定される。本変形例によれば、第２データの伝送速度を向上できる。
【００５８】
本発明の実施例において、単位ブロックが４シンボルであるとされている。しかしながらこれに限らず例えば、単位ブロックが４シンボル以外のシンボル数によって構成されていてもよい。シンボル数を減らすことによって、第２データの伝送速度が向上される。また、シンボル数を増やすことによって、回転角度の推定精度が向上される。本変形例によれば、通信システム１００の設計の自由度を向上できる。
【００５９】
本発明の実施例において、決定部４８は平均処理を実行している。しかしながらこれに限らず例えば、決定部４８は、平均処理以外の統計処理を実行してもよい。平均処理以外の統計処理の一例は、中央値の導出処理である。本変形例によれば、受信装置１２の設計の自由度を向上できる。また、無線で通信を行なう実施形態について説明したが、有線で通信する実施形態にも適用可能である。
【符号の説明】
【００６０】
１０  送信装置、  １２  受信装置、  ２０  基準位相マッピング部、  ２２  シフト位相マッピング部、  ２４  特定部、  ２６  選択部、  ２８  直交変調部、  ３０  ＲＦ部、  ３２  制御部、  ４０  ＲＦ部、  ４２  直交検波部、  ４４  帯域制限フィルタ部、  ４６  タイミング生成部、  ４８  決定部、  ５０  キャリア再生部、  ５２  デマッピング部、  ５４  シンボル選択部、  ５６  制御部、  ６０  基準位相用位相誤差検出部、  ６２  シフト位相用位相誤差検出部、  ６６  ループフィルタ部、  ６８  ＮＣＯ、  ７０  基準位相デマッピング部、  ７２  シフト位相デマッピング部、  １００  通信システム。
【図１】
0005637034.tif 000002
【図２】
0005637034.tif 000003
【図３】
0005637034.tif 000004
【図４】
0005637034.tif 000005
【図５】
0005637034.tif 000006
【図６】
0005637034.tif 000007
【図７】
0005637034.tif 000008
【図８】
0005637034.tif 000009
【図９】
0005637034.tif 000010
【図１０】
0005637034.tif 000011
【図１１】
0005637034.tif 000012